(57)【要約】 【課題】  表面に塗料層と凹凸模様が付された装飾シートにおいて、紙製物品の表面に容易に貼着可能で、繰り返しの折り曲げ操作による破損を抑制でき、且つ低コストに製造することができる装飾シート及び装飾シートを備えた収納具を提供すること。【解決手段】  紙製物品の表層に配される可撓性の装飾シート１０であって、基材となる第一の紙製シート層１１と、第一の紙製シート層１１の表面に貼着された合成樹脂フィルム層１２と、合成樹脂フィルム層１２の表面に貼着された第二の紙製シート層１６とを備え、第二の紙製シート層１６は、凹凸模様１４を備えていると共に表面には塗料が塗布されていること。【選択図】  図１
0003203209.tif 000002
【実用新案登録請求の範囲】
【請求項１】
紙製物品の表層に配される可撓性の装飾シートであって、基材となる第一の紙製シート層と、前記第一の紙製シート層の表面に貼着された合成樹脂フィルム層と、前記合成樹脂フィルム層の表面に貼着された第二の紙製シート層とを備え、前記第二の紙製シート層は、凹凸模様を備えていると共に表面には塗料が塗布されていることを特徴とする装飾シート。
【請求項２】
前記第二の紙製シート層は漆紙であり、前記合成樹脂フィルム層はポリエチレンテレフタレートフィルムより構成されていることを特徴とする請求項１記載の装飾シート。
【請求項３】
全体略横長方形状の袋状に形成され、内方に書類を収納しうる紙製の収納具であって、収納具本体の周縁にはマチ部が形成されており、前記マチ部は、厚さ方向に並列して配される複数の折り曲げ線を有する蛇腹部を備えており、前記蛇腹部の表面には請求項１記載の装飾シートが貼着されたことを特徴とする収納具。
【請求項４】
表表紙と前記表表紙に連接された裏表紙とが互いに隣接するように折り曲げ部より折り曲げられて見開き可能に形成された紙製の収納具本体部と、前記収納具本体部の内方には書類又はカードを保持し得る保持部とを備えた収納具であって、前記折り曲げ部の表面には請求項１記載の装飾シートが貼着されたことを特徴とする収納具。
【請求項５】
前記収納具本体部は、１枚の板状体を折り曲げることにより形成されており、前記裏表紙は、マチ部を介して前記表表紙に連接されていることを特徴とする請求項４記載の収納具。
【請求項６】
前記保持部は、カードを保持し得る複数の袋状収納部を備えていることを特徴とする請求項４記載の収納具。
【考案の詳細な説明】
【技術分野】
【０００１】
本考案は紙製物品用の装飾シート及び装飾シートを備えた収納具の改良に関する。
【背景技術】
【０００２】
従来より、薄紙の一方の面に漆又はカシュー塗料やアルキド樹脂塗料を塗布したものは漆紙と称されている。漆紙は、さらに表面に凹凸模様を施されて独特の風合いによる高級感を備えた装飾紙として、紙製の容器や文具といった種々の物品の表面に配されて利用されている。
【０００３】
一方で、紙製物品は可撓性があるため使用に際して撓むことがあり、その際に、紙製物品の本体の表面に配した装飾紙にも平面方向に伸縮させる負荷が発生する。特に、見開きの書類収納具のように、折り曲げ部を有する物品の場合、利用者が書類を収納又は取り出すために表紙を開閉させる度に折り曲げ部に負荷が発生する。
【０００４】
前記のような書類収納具の外装として漆紙を全面に貼着して用いた場合には、利用者が使用する過程で繰り返しの開閉操作がされることにより、折り曲げ部の伸縮による疲労で折り曲げ部に貼着された漆紙が破れてしまうという事態が発生していた。
【０００５】
一度折り曲げ部の漆紙が破れてしまうと、破れた箇所から書類収納具本体の素材が見えてしまうことから見栄えが劣化してしまい、本来備え持った高級感が得られなくなってしまうという不具合があった。
【０００６】
そこで、本願考案者は、このような観点から特許調査を行い特許文献１及び特許文献２を発見したが、特許文献１は、前述のような凹凸模様を備えた装飾シートに関するものではなかった。
【０００７】
また、特許文献２のブッククロス紙は、パルプ層の表面には着色や凹凸模様が施され、裏面には割繊維不織布を備えており、パルプ層のみの場合に比べて引裂強度を改善している。しかしながら、より低コストに製造可能な装飾シートが要望されていた。
【特許文献１】特許第４０３９５３７号公報
【特許文献２】公開実用新案第昭４９−８８００３号公報
【考案の開示】
【考案が解決しようとする課題】
【０００８】
そこで、本考案は、このような従来の要請に基づくものであって、表面に塗料層と凹凸模様が付された装飾シートにおいて、紙製物品の表面に容易に貼着可能で、繰り返しの折り曲げ操作による破損を抑制でき、且つ低コストに製造することができる装飾シート及び装飾シートを備えた収納具を提供することを課題とする。
【課題を解決するための手段】
【０００９】
前記課題を解決するために、請求項１に記載の装飾シートにあっては、紙製物品の表層に配される可撓性の装飾シートであって、基材となる第一の紙製シート層と、前記第一の紙製シート層の表面に貼着された合成樹脂フィルム層と、前記合成樹脂フィルム層の表面に貼着された第二の紙製シート層とを備え、前記第二の紙製シート層は、凹凸模様を備えていると共に表面には塗料が塗布されていることを特徴とする。
【００１０】
従って、請求項１に記載の装飾シートは、装飾シートの表面を構成する第二の紙製シートは、凹凸模様を備えていると共に表面には塗料が塗布されている。
【００１１】
また、合成樹脂フィルム層を有していることから、紙製シートのみから構成される場合に比べて強度を向上させることができる。また、合成樹脂フィルムは割繊維不織布に比べて低コストである。
【００１２】
請求項２に記載の装飾シートにあっては、前記第二の紙製シート層は漆紙であり、前記合成樹脂フィルム層はポリエチレンテレフタレートフィルムより構成されていることを特徴とする。漆紙とは、薄紙の一方の面に漆又はカシュー塗料やアルキド樹脂塗料を塗布したものである。
【００１３】
請求項３に記載の収納具にあっては、全体略横長方形状の袋状に形成され、内方に書類を収納しうる紙製の収納具であって、収納具本体の周縁にはマチ部が形成されており、前記マチ部は、厚さ方向に並列して配される複数の折り曲げ線を有する蛇腹部を備えており、前記蛇腹部の表面には請求項１記載の装飾シートが貼着されたことを特徴とする。
【００１４】
従って、収納具本体の周縁にはマチ部が形成されており、前記マチ部は、厚さ方向に並列して配される複数の折り曲げ線を有する蛇腹部を備えていることから、収納具本体は、蛇腹部において厚さ方向に沿って伸縮可能である。
【００１５】
請求項４に記載の収納具にあっては、表表紙と前記表表紙に連接された裏表紙とが互いに隣接するように折り曲げ部より折り曲げられて見開き可能に形成された紙製の収納具本体部と、前記収納具本体部の内方には書類又はカードを保持し得る保持部とを備えた収納具であって、前記折り曲げ部の表面には請求項１記載の装飾シートが貼着されたことを特徴とする。
【００１６】
請求項５に記載の装飾シートにあっては、前記収納具本体部は、１枚の板状体を折り曲げることにより形成されており、前記裏表紙は、マチ部を介して前記表表紙に連接されていることを特徴とする。従って、裏表紙は、マチ部を介して表表紙に連接されていることから、マチ部と表表紙及び裏表紙との境界線において折り曲げ部が形成される。
【００１７】
請求項６に記載の装飾シートにあっては、前記保持部は、カードを保持し得る複数の袋状収納部を備えていることを特徴とする。
【考案の効果】
【００１８】
請求項１に記載の装飾シートにあっては、表面を構成する第二の紙製シートは、凹凸模様を備えていると共に表面には塗料が塗布されていることから、興趣に富んだ装飾を提供することができる。また、裏面に位置する第一の紙製シートは、紙製であるため、同じ材質から構成される紙製物品の表面に対して容易に貼着可能である。
【００１９】
また、紙製シートのみから構成される場合に比べて強度を向上させることができるため、紙製物品の折り曲げされる箇所に貼着することにより、繰り返しの折り曲げ操作による破損を抑制できる。また、割繊維不織布に比べて低コストに製造することができる。
【００２０】
請求項２に記載の装飾シートにあっては、第二の紙製シート層は漆紙であることから、独特の光沢と風合いによる装飾を提供することができる。
【００２１】
請求項３に記載の収納具にあっては、厚さ方向に沿って伸縮可能に構成された蛇腹部には、請求項１記載の装飾シートが貼着されていることから、繰り返し伸縮操作が行われた場合であっても、塗料等の装飾面に割れが生じて外観を損ねることがなく、収納具は長期に利用することができる。
【００２２】
請求項４及び５に記載の収納具にあっては、表紙と裏表紙との境界線又はマチ部と表表紙及び裏表紙との境界線には折り曲げ部が形成され、折り曲げ部の表面には請求項１記載の装飾シートが貼着されていることから、表紙や裏表紙の見開き動作が繰り返し行われた場合であっても、塗料等の装飾面に割れが生じて外観を損ねることがなく、収納具は長期に利用することができる。
【００２３】
請求項６に記載の収納具にあっては、保持部は、カードを保持し得る複数の袋状収納部を備えていることから、名刺やその他のカードを収納しておくことができるカードホルダーとして利用することができる。
【図面の簡単な説明】
【００２４】
【図１】図１は、本考案に係る装飾シートの一実施の形態を示した側面図である。
【図２】図２は、本考案に係る装飾シートを表層に備えた書類収納具の一実施の形態を示した斜視図である。
【図３】図３は、本考案に係る装飾シートを表層に備えたカード収納具の一実施の形態を示した斜視図である。
【図４】図４は、本考案に係る装飾シートを表層に備えたカード収納具の一実施の形態を示し、保持部の平面図である。
【考案を実施するための最良の形態】
【００２５】
以下、本考案に係る装飾シートを実施の形態に基づき、図面を参照して詳細に説明する。
【００２６】
図１に示すように、本実施の形態に係る装飾シート１０は、紙製物品の表層に配される可撓性の装飾シートである。
装飾シート１０は、基材となる第一の紙製シート層１１と、第一の紙製シート層１１の表面１１ａに貼着された合成樹脂フィルム層１２と、合成樹脂フィルム層１２の表面１２ａに貼着された第二の紙製シート層１６とを備えている。第二の紙製シート層１６は、凹凸模様１４を備えていると共に表面１６ａには塗料が塗布されて塗料層１５が形成された漆紙１３である。
【００２７】
本実施の形態においては、合成樹脂フィルム層１２は二軸延伸ポリエチレンテレフタレートフィルムより構成されている。第二の紙製シート層１６は、表面１６ａにカシュー塗料により光沢を有する塗料層１５が形成されている。第一の紙製シート層１１及び漆紙１３の原紙は、約０．４ｍｍの厚さ寸法からなるクラフト紙が用いられる。
【００２８】
図１に示すように、第一の紙製シート層１１の表面１１ａと合成樹脂フィルム層１２の裏面１２ｂ及び合成樹脂フィルム層１２の表面１２ａと漆紙１３の裏面１３ｂは、互いに接着剤層（図示せず）を介して貼着されている。本実施の形態においては、接着剤は合成樹脂類と酢酸エチルを主成分とする構接着剤を用いている。
【００２９】
装飾シート１０を製造する際には、第一の紙製シート層１１、合成樹脂フィルム層１２、第二の紙製シート層１６であるクラフト紙を互いに接着剤が融解する温度に維持しながら貼着した後、プレス機にて任意の模様の型を用いてプレスすることにより凹凸模様１４を形成する。従って、本実施の形態においては、第一の紙製シート層１１、合成樹脂フィルム１２及び第二の紙製シート層１６が一体となった状態において全体に凹凸模様１４が形成されている。
【００３０】
その後、第二の紙製シート層１６であるクラフト紙にカシュー塗料を塗布して光沢を有する塗料層１５が形成される。本実施の形態においては、凹凸模様１４は草花の模様である。草花の模様は、草花を台上に突出させるようにプレスすることにより、他の箇所との高低差により凹凸模様１４を形成している。合成樹脂フィルム層１２は両面にコロナ処理を施し接着性を向上させたものを用いている。
【００３１】
以下、本実施の形態に係る装飾シート１０の作用について、図面を参照して詳細に説明する。本実施の形態に係る装飾シート１０は、以上のような構成を備えていることから、図１に示すように、装飾シート１０の表面には、草花の模様が台状に突出するようにして凹凸模様１４が形成されるため立体感のある装飾性を備える一方で、表面にはカシュー塗料による塗料層１５が設けられ光沢が付与された漆紙１３が配されるため漆のような独特な艶と色味を備えている。
【００３２】
また、合成樹脂フィルム層１２を有していることから、第一の紙製シート層１１及び漆紙１３といった紙製シートのみから構成される場合に比べて強度を向上させることができる。また、合成樹脂フィルムは割繊維不織布に比べて低コストであるため、より低コストに製造することができる。
【００３３】
図１に示すように、装飾シート１０は、裏面側に第一の紙製シート層１１を備えていることから、例えば以下に説明するような紙製物品に貼着する際には、紙と紙との接着となるため一般の糊剤などを利用して容易に且つ強固に接着することができるという利点がある。
【００３４】
次に、本実施の形態に係る装飾シート１０を表層に備えた書類収納具２０について図面を参照して詳細に説明する。装飾シート１０の構成については前述のとおりの構成を備えており同一の符号を付して説明は省略する。
【００３５】
図２に示すように、書類収納具２０は、厚紙製であり全体横長方形状の袋状に形成された書類収納具本体２１を備え内方にＡ４サイズの書類を収納しうる。書類収納具本体２１は、長辺側一端部には、書類を出し入れしうる開口部２５と開口部２５を覆うことのできる蓋部２６が設けられており、蓋部２６は磁石２７により開口部２５を覆った状態で係止できるように構成されている。
【００３６】
図２に示すように、書類収納具本体２１の周縁にはマチ部２２が形成されており、マチ部２２は、厚さ方向に並列して配される複数の折り曲げ線２３を有する蛇腹部２４を備えて厚さ方向に沿って伸縮可能に形成されている。
【００３７】
本実施の形態においては、書類収納具２０は、蛇腹部２４の表面を含む書類収納具本体２１の表層全域に亘って装飾シート１０が貼着されている。貼着は、装飾シート１０の裏面１０ｂに糊剤を塗布した状態で、書類収納具本体２１に貼り合せることにより行われる。
【００３８】
以下、本実施の形態に係る装飾シート１０を表層に備えた書類収納具２０の作用について、図面を参照して詳細に説明する。本実施の形態に係る装飾シート１０を表層に備えた書類収納具２０は以上のように構成されていることから、図２に示すように、磁石２７による係止を解いて蓋部２６を開放することによって、開口部２５より書類を挿入して書類収納具本体２１の内方に収納して保管あるいは持ち運びすることができる。
【００３９】
書類収納具本体２１のマチ部２２は蛇腹部２４を備えており、蛇腹部２４は、書類収納具本体２１の長さ方向及び幅方向に沿って直線状に設けられると共に、厚さ方向に複数隣接して設けられる折り曲げ線２３、２３、２３、２３、２３を備えていることから、書類収納具本体２１は、厚さ寸法以上の書類を挿入した際には、各折り曲げ線２３、２３、２３、２３、２３において蛇腹部２４が拡開することにより、書類収納具本体２１の厚さ寸法が大きくなる。他方で書類取出し後は、蛇腹部２４が折畳まれて元の厚さ寸法に戻る。
【００４０】
前述のように、書類収納具２０の書類収納具本体２１は、使用する度に折畳み動作及び拡開動作が繰り返し行われて、各折り曲げ線２３、２３、２３、２３、２３において引裂き方向の負荷が加わる。その際、装飾シート１０は、合成樹脂フィルム層１２を有していることから漆紙１３の破れ等の破損を抑制して、美しい装飾性を長期に保つことができ書類収納具２０は長期に利用することができる。
【００４１】
次に、本実施の形態に係る装飾シート１０を表層に備えたカード収納具３０について図面を参照して詳細に説明する。装飾シート１０の構成については前述のとおりの構成を備えており同一の符号を付して説明は省略する。
【００４２】
図３に示すように、カード収納具３０は、表表紙３１と表表紙３１に連接された裏表紙３２とが互いに隣接するように折り曲げ部３３より折り曲げられて見開き可能に形成された収納具本体部３４を備えている。
【００４３】
本実施の形態においては、収納具本体部３４は、１枚の厚紙の板状体を折り曲げることにより全体縦長長方形状に形成されており、裏表紙３２は、マチ部３５を介して表表紙３１に連接されており、折り曲げ部３３は表表紙３１とマチ部３５及び裏表紙３２とマチ部３５との境界に夫々直線状に形成されている。
【００４４】
図３に示すように、収納具本体部３４の見開き内方にはカードを保持し得る保持部３６を備えている。保持部３６は、擦り硝子状の合成樹脂シートより構成されている。
【００４５】
図３及び図４に示すように、前記カードは名刺であり、保持部３６は複数枚の名刺を収納して保持しうる袋状収納部３８を備えている。保持部３６は高さ方向に３つのリベット孔部４０が備えられておりマチ部３５にリベット３７により固定されている。本実施の形態においては、袋状収納部３８は、１の頁に上下に２つ、厚さ方向に２つの計４つ設けられており保持部３６のマチ部３５側に収納開口部３９を備えている。
【００４６】
収納具本体部３４の折り曲げ部３３の表面を含む表表紙３１、裏表紙３２及びマチ部３５には、表層全域に亘って装飾シート１０が貼着されている。図１及び図３に示すように、貼着は、装飾シート１０の裏面１０ｂに糊剤を塗布した状態で、表表紙３１、裏表紙３２及びマチ部３５に夫々貼り合せることにより行われる。
【００４７】
前記実施の形態においては、保持部３６は、名刺を保持しうる袋状収納部３８を備えている例を説明したが、これに限定されることはなく、例えば、Ａ４、Ｂ５といった書類を収納しうる大きさの袋状収納部３８であっても良く、また、例えば、ルーズリーフのように端部にパンチ穴を設けた書類を保持しうる保持具であっても良い。用途に合わせて適宜選択されうる。
【００４８】
以下、本実施の形態に係る装飾シート１０を表層に備えたカード収納具３０の作用について、図面を参照して詳細に説明する。
図３及び図４に示すように、本実施の形態に係る装飾シート１０を表層に備えたカード収納具３０は、以上のように構成されていることから、表表紙３１を開いて保持部３６の袋状収納部３８に収納開口部３９より横方向にスライドさせながら名刺を収納し、保管または持ち運びすることができる。
【００４９】
表表紙３１や裏表紙３２とマチ部３５との境界に設けられた折り曲げ部３３、３３には、前述のように収納または取り出し動作の度に、折り曲げまたは拡開動作が行われ引裂き方向の負荷が加わる。
【００５０】
その際、装飾シート１０は、合成樹脂フィルム層１２を有していることから漆紙１３の破れ等の破損を抑制して、美しい装飾性を長期に保つことができカード収納具３０は長期に利用することができる。
【産業上の利用可能性】
【００５１】
本考案に係る装飾シートは収納具等の紙製物品に広く適用することができることから産業上利用可能性を有している。
【符号の説明】
【００５２】
１０    装飾シート
１１    第一の紙製シート層
１２    合成樹脂フィルム層
１３    漆紙
１４    凹凸模様
１５    塗料層
１６    クラフト紙（第二の紙製シート層）
２０    書類収納具
２１    書類収納具本体
２２    マチ部
２３    折り曲げ線
２４    蛇腹部
２５    開口部
２６    蓋部
２７    磁石
３０    カード収納具
３１    表表紙
３２    裏表紙
３３    折り曲げ部
３４    収納具本体部
３５    マチ部
３６    保持部
３７    リベット
３８    袋状収納部
３９    収納開口部
４０    リベット孔部
【図１】
0003203209.tif 000003
【図２】
0003203209.tif 000004
【図３】
0003203209.tif 000005
【図４】
0003203209.tif 000006